(57)【要約】      （修正有）【課題】仰臥姿勢や横臥姿勢における使用感に優れると共に簡素な構造で製作コストを低減することができる枕を提供すること。【解決手段】表生地と裏生地とを袋状に縫い合わせて形成された横長矩形状の枕袋１は、縦方向の仮想中心線を中心として左右対称に凸円弧形に縫合された円弧部６，６と、それら円弧部の外側に縦方向に連続する凹凸形に夫々縫合された凹凸部８，８とを設け、それら円弧部と二つの横辺とにより囲まれる箇所を中央枕部５とし、円弧部及び凹凸部と二つの横辺とにより囲まれる箇所を中間枕部７，７とし、凹凸部及び縦辺と二つの横辺とにより囲まれる箇所を端枕部９，９とし、それら中央枕部５、中間枕部７，７及び端枕部９，９に充填部材を夫々収容すると共に、中央枕部５の高さを最も低く、中間枕部７，７を該中央枕部５とほぼ同じ若しくはやや高く、端枕部９，９を最も高く設けた。【選択図】図２
0003112865.tif 000002
【実用新案登録請求の範囲】
【請求項１】
表生地と裏生地とを袋状に縫い合わせて形成された横長矩形状の枕袋に充填材を収容してなる枕であって、
前記枕袋は、縦方向の仮想中心線を中心として左右対称に凸円弧形に縫合された円弧部と、それら円弧部の外側に縦方向に連続する凹凸形に夫々縫合された凹凸部とを設け、それら円弧部と二つの横辺とにより囲まれる箇所を中央枕部とし、前記円弧部及び凹凸部と二つの横辺とにより囲まれる箇所を中間枕部とし、前記凹凸部及び縦辺と二つの横辺とにより囲まれる箇所を端枕部とし、それら中央枕部、中間枕部及び端枕部に充填部材を夫々収容すると共に、前記中央枕部の高さを最も低く、中間枕部を該中央枕部とほぼ同じ若しくはやや高く、端枕部を最も高く設けるように構成したことを特徴とする枕。
【請求項２】
前記中央枕部、中間枕部及び端枕部に収容する充填部材を同一又は異なるように設けたことを特徴とする請求項１に記載の枕。
【考案の詳細な説明】
【技術分野】
【０００１】
本考案は、就寝時に用いられる枕に関するものである。
【背景技術】
【０００２】
就寝時に用いられる枕は、古くから様々な形態や素材のものが考案されて使用されてきている。例えば、登録実用新案第３０４８８７６号公報には、枕の幅方向両端部に形成された寝返り対応部と、これら寝返り対応部の間に当該寝返り対応部より高さを低く形成された頚椎支持部と、寝返り対応部の間に頚椎支持部と並んで当該頚椎支持部より高さを低く形成された後頭部支持部と、その頚椎支持部側の長辺部に後頭部支持部に向かって湾曲して形成された円弧部と、寝返り対応部と頚椎支持部、後頭部支持部との間に当該寝返り対応部より高さが低く頚椎支持部より高さの高い寝返り対応移行部を設けた枕が開示されている。
【０００３】
また、特開２００３−１８０４９９号公報には、枕ケース内に、第１側隔壁生地と第２隔壁生地を立設し、第１側部を形成する第１側室と第２側部を形成する第２側室が形成され、第１隔壁生地と第２隔壁生地の間に第１中央隔壁生地と第２中央隔壁生地を立設し、第１頚椎支持部を形成する第１頚椎支持室と、第２頚椎支持部を形成する第２頚椎支持室と、後頭部支持部を形成する後頭部支持室を形成し、各支持室に羽毛を充填した構成が開示されている。
【０００４】
前者の登録実用新案公報に記載された枕は、頚椎支持部、後頭部支持部と寝返り対応部の間に寝返り対応移行部を設けることにより寝返りを円滑にすることができるとされている。ところが、枕の各部分は糸により直線的にミシン目状に縫合することにより区画されているために当該縫合部分が窪むことを避けられなく、寝返りの際に顔部が窪んだ箇所に載った際に必ずしも違和感がないとは言えない。
【０００５】
後者の公開特許公報に記載された枕は、枕ケースの表生地と裏生地を直接縫い付けることにより各室を区画するのではなく、表生地と裏生地の間に設けられる隔壁生地によって内部を区画する構造とされているので縫合部分が大きく窪むことはないが、製作に手間が多く掛かり、製作コストが高くつくことを避けられない。
【特許文献１】登録実用新案第３０４８８７６号公報
【特許文献２】特開２００３−１８０４９９号公報
【考案の開示】
【考案が解決しようとする課題】
【０００６】
この考案の目的は、仰臥姿勢や横臥姿勢における使用感に優れると共に簡素な構造で製作コストを低減することができる枕を提供することにある。
【課題を解決するための手段】
【０００７】
請求項１に記載の考案は、表生地と裏生地とを袋状に縫い合わせて形成された横長矩形状の枕袋に充填材を収容してなる枕であって、前記枕袋は、縦方向の仮想中心線を中心として左右対称に凸円弧形に縫合された円弧部と、それら円弧部の外側に縦方向に連続する凹凸形に夫々縫合された凹凸部とを設け、それら円弧部と二つの横辺とにより囲まれる箇所を中央枕部とし、前記円弧部及び凹凸部と二つの横辺とにより囲まれる箇所を中間枕部とし、前記凹凸部及び縦辺と二つの横辺とにより囲まれる箇所を端枕部とし、それら中央枕部、中間枕部及び端枕部に充填部材を夫々収容すると共に、前記中央枕部の高さを最も低く、中間枕部を該中央枕部とほぼ同じ若しくはやや高く、端枕部を最も高く設けるように構成したことを特徴とする。
【０００８】
請求項２に記載の考案は、請求項１に記載の枕において、前記中央枕部、中間枕部及び端枕部に収容する充填部材を同一又は異なるように設けたことを特徴とするものである。
【考案の効果】
【０００９】
この枕は、表生地と裏生地とを直接縫い付けて区画される各枕部の縫合部分を凸円弧形と凹凸形に形成することにより各枕部同士の境界部分がなだらかになるため、仰臥姿勢や横臥姿勢における使用感に優れ、簡素な構造で製作コストの低減化を図ることができる。
【考案を実施するための最良の形態】
【００１０】
以下に、本考案の最良の形態例を図面に基づいて説明する。図１は枕の平面図、図２は枕の斜視図、図３は図１のＡ−Ａ線断面図である。
【００１１】
図１に示すように、この考案の枕Ｐは、表生地２と裏生地３とを袋状に縫い合わせて形成される横長矩形状の枕袋１に充填材を収容してなる。その枕袋１は、縦方向の仮想中心線ｃを中心として左右対称に凸円弧形に縫合された円弧部６，６と、それら円弧部６，６の外側に縦方向に連続する凹凸形に夫々縫合された凹凸部８，８とを設け、それら円弧部６，６と二つの横辺１ａ，１ａとにより囲まれる箇所を中央枕部５とし、円弧部６，６及び凹凸部８，８と二つの横辺１ａ，１ａとにより囲まれる箇所を中間枕部７，７とし、凹凸部８，８及び縦辺１ｂ，１ｂと二つの横辺１ａ，１ａとにより囲まれる箇所を端枕部９，９としている。１０は枕袋１の周縁の外側に被着された補強布片である。
【００１２】
上記中央枕部５には、充填部材としての綿１５若しくはチップ状ウレタンフォームを収容している。また、中間枕部７，７及び端枕部９，９には、柔軟性を有するプラスチックパイプ（例えば、直径３ｍｍ、長さ８ｍｍ）１６を収容している。そして、枕Ｐの高さについては、中央枕部５の高さを最も低く、中間枕部７，７を中央枕部５とほぼ同じ若しくはやや高く、端枕部９，９を最も高くなるように設けられている。
これにより、本考案の枕Ｐが構成される。
【００１３】
なお、この実施形態例では、中央枕部５と、他の中間枕部７，７及び端枕部９，９に収容する充填部材を異なる充填部材としているが、これを全て同じ充填部材とすることもできる。また、充填部材としては、前記以外の蕎麦殻、羽毛、プラスチック製粒状物の中の何れか、若しくはそれらの中から適宜選択して組み合わせたものとすることができる。さらに、この実施形態例では、枕袋１の周囲を全て縫合しているが、各枕部にファスナーを設けて充填部材の量を適宜加減することにより好みの高さにすることもできる。
【００１４】
以上に述べた通り、この枕は、表生地と裏生地とを直接縫い付けて区画される各枕部の縫合部分を凸円弧形と凹凸形に形成することにより各枕部同士の境界部分がなだらかになるため、仰臥姿勢や横臥姿勢における使用感に優れ、簡素な構造で製作コストの低減化を図ることができる利点がある。
【図面の簡単な説明】
【００１５】
【図１】枕の平面図
【図２】枕の斜視図
【図３】図１のＡ−Ａ線断面図
【符号の説明】
【００１６】
Ｐ・・・枕
１・・・枕袋
１ａ・・・横辺  １ｂ・・・縦辺
２・・・表生地  ３・・・裏生地
５・・・中央枕部
６，６・・・円弧部
７，７・・・中間枕部
８，８・・・凹凸部
９，９・・・端枕部
１５・・・綿（充填部材）
１６・・・プラスチックパイプ（充填部材）
ｃ・・・仮想中心線
【図１】
0003112865.tif 000003
【図２】
0003112865.tif 000004
【図３】
0003112865.tif 000005